(57)【特許請求の範囲】
【請求項１】
超音波振動発生手段とこの超音波振動発生手段によって超音波領域での振動を行う振動体とを備え、振動体は毛髪の接触により毛髪に超音波振動を付加して毛髪に癖付けを行う接触面を備えているとともに、振動体はその接触面の一部から超音波振動を減衰させる振動減衰部材を突出させていることを特徴とするヘアセット装置。
【請求項２】
振動体は毛髪の巻き付け面である外周面が毛髪との接触面となっていることを特徴とする請求項１記載のヘアセット装置。
【請求項３】
振動体の外周面の接触面に毛髪を押さえ付ける押さえ体を備えることを特徴とする請求項２記載のヘアセット装置。
【請求項４】
振動体は一面が接触面となっている平板状であり、該接触面に毛髪を押さえ付ける押さえ体を備えていることを特徴とする請求項１記載のヘアセット装置。
【請求項５】
押さえ体は振動体を備えた本体部に枢着されていることを特徴とする請求項３または４記載のヘアセット装置。
【請求項６】
振動体は毛髪が接触する接触面と直交する方向に振動を行うものであることを特徴とする請求項１〜５のいずれか１項に記載のヘアセット装置。
【請求項７】
超音波振動発生手段としてリング状振動子を用いることを特徴とする請求項６記載のヘアセット装置。
【発明の詳細な説明】
【０００１】
【発明の属する技術分野】
本発明は毛髪に巻きぐせをつけたり伸ばしたりするヘアセットのための新規なヘアセット装置に関するものである。
【０００２】
【従来の技術】
ヘアセットのための装置としてヘアドライヤーやヘアアイロン、ヘアカール器等各種のものがあるが、これらは毛髪に熱を加えて熱の作用でセットするものである点で共通している。毛髪のカールしている状態やストレートな状態は毛髪内の弱い結合である水素結合によって保たれているとともにこの水素結合状態を変更することによって毛髪の上記状態を変えることができるものであり、水素結合は熱によって切れたりずれたりするために、熱を毛髪に加えることでヘアセットを行えるものである。
【０００３】
【発明が解決しようとする課題】
しかし毛髪に熱を加えると、髪の水分量の極端な減少や髪の蛋白質の変性によってどうしても毛髪が傷んでしまい、枝毛になりやすくなったり、髪が切れやすくなったり、髪が変色してしまうという問題を有している。毛髪の加熱に際して毛髪を湿潤させておくことで毛髪の傷みを少なくすることはできるが、毛髪をヘアセットに必要な温度にまで加熱していることにかわりはなく、上記問題点を依然としてかかえている。
【０００４】
本発明はこのような点に鑑み為されたものであり、その目的とするところは毛髪を傷めることなくセットすることができるヘアセット装置を提供するにある。
【０００５】
【課題を解決するための手段】
超音波領域で振動を行う振動体に毛髪を接触させることで毛髪に振動を与えれば、その理由は定かではないものの、熱を加えた場合と同様にヘアセットを行うことができる。すなわち、図１（ａ）に示すように超音波領域での振動を行う振動体１に毛髪２を接触させるとともに毛髪２に接触時の形状をしばし維持させたならば、図１（ｂ）に示すように、振動体１を外した後も毛髪２は振動体１に接触させていた時の形状を保持するものとなる。なお、超音波振動を毛髪に加えた場合には毛髪に摩擦熱が生じるが、超音波振動を毛髪に与えた場合、毛髪に熱を加える場合に比して毛髪温度が１５℃以上低い温度でヘアセットすることができることから、ヘアセットができる理由が上記摩擦熱でないことは明らかであり、超音波振動そのものが上記水素結合に作用するためと考えられる。
【０００６】
超音波振動を行う振動体に毛髪を接触させるにあたっては、振動体に毛髪を巻き付ける、毛髪に振動体をなでつける、振動体に毛髪を押さえ付けるといった手法を用いることができ、特に毛髪に振動体をなでつけるにあたっては毛髪にテンションを加えておくことが有効であり、振動体に毛髪を押さえ付ける場合にはこの状態で振動体を毛髪に添って移動させることがストレートヘアへのセットに際して有効である。
【０００７】
本発明に係るヘアセット装置は上記新規な知見に基づくもので、超音波振動発生手段とこの超音波振動発生手段によって超音波領域での振動を行う振動体とを備え、振動体は毛髪の接触により毛髪に超音波振動を付加して毛髪に癖付けを行う接触面を備えているとともに、振動体はその接触面の一部から超音波振動を減衰させる振動減衰部材を突出させていることに特徴を有している。振動体の接触面に毛髪を接触させることで毛髪に超音波領域の振動を与えることで癖付けを行うことができる。また振動減衰部材を突出させているために、振動体が指や皮膚に直接触れることを防ぐことができて、振動体が皮膚や指に接触した場合の火傷の発生の虞れを少なくすることができる。
振動体としては、毛髪の巻き付け面である外周面が毛髪との接触面となっているもの、振動体の外周面の接触面に毛髪を押さえ付ける押さえ体を備えたもの、一面が接触面となっている平板状であり、該接触面に毛髪を押さえ付ける押さえ体を備えているものなどを好適に使用することができ、上記押さえ体には振動体を備えた本体部に枢着されたものを好適に用いることができる。
【０００８】
振動体は毛髪が接触する接触面と直交する方向に振動を行うものであることが望ましく、この場合、超音波振動発生手段としてリング状振動子を好適に用いることができるが、振動方向は上記方向に限定されるものではない。
【０００９】
このほか、振動体の毛髪との接触面を凹凸面としたり、上記接触面に振動伝達媒体を配したりしてもよく、振動伝達媒体を用いる場合には振動体に振動伝達媒体を保持する保持部材を設けたり、振動体を多孔質金属で形成して振動体自体が保持部材となるようにするとよい。
【００１０】
振動体を回転自在とするとともに該回転に対して負荷抵抗を加えておくことも望ましく、特に負荷抵抗を越える力に対して振動体の回転を自由とするクラッチ機構を設けておくのも望ましい。
振動体の毛髪との接触面の断面形状を複数の曲率の合成曲線としておいたり、振動体の一部を覆って振動体の毛髪との接触面に接する毛髪の接触角度を規制するカバーを設けたり、振動体の毛髪との接触面に振動伝達性を有するブラシ型の突起を設けたりしてもよく、更には振動伝達性を有するブラシ型突起は振動体の毛髪との接触面の所定エリアに設け、他のエリアには振動減衰性のブラシ型突起を設けるのもよい。
【００１１】
上記のブラシ型の突起は振動体に着脱自在とされた部材の表面に設けるようにしてもよく、この場合の振動体に着脱自在とされた部材と振動体との間には振動伝達媒体を配するとよい。
振動発生の制御については、振動体の温度乃至振動体の接触面に接触する毛髪の温度を検出するセンサと、センサの検出結果に応じて振動発生を制御する制御手段とを備えたものとしたり、振動体の接触面に接触する毛髪の水分量を検出するセンサと、センサの検出結果に応じて振動発生を制御する制御手段とを備えたものとするとよい。この時のセンサは振動体の表面、あるいは振動体の毛髪との接触面に毛髪を押し付ける押さえ体、あるいは振動体の内部に配しておくとよい。
【００１２】
振動の連続発生時間を制限するタイマを備えたものとしてもよく、限時時間が異なる複数種のタイマとこれらタイマを切り換えていく切換手段とを備えたものとしてもよい。
振動を間欠的に発生させる制御手段を備えたものとするのも好ましく、上記センサを用いた制御に際しては、センサによる検出値と上限値との比較で振動発生を休止させ、検出値と下限値との比較で振動発生を再開させるものとするとよい。これらの場合の制御手段は振動発生動作の回数または振動発生動作の通算時間で振動発生を終わらせるものとしておくとよい。
【００１３】
【発明の実施の形態】
本発明に係るヘアセット装置の実施形態例を図２に、その内部構造を図３に示す。円筒状のグリップとして機能する器体３とこの器体３の先端から突出させた棒状の振動体１とからなるとともに、図２（ｂ）に示すものにおいては器体３先端部に枢着された押さえ体４が設けられているヘアセット装置は、図３に示すように直流電源を出力する直流電源部１０と発振回路１１、発振回路１１にて駆動されて電気信号を超音波領域（ほぼ２０ｋＨｚ〜２００ｋＨｚ）の機械的振動に変換するトランスデューサー１２、トランスデューサー１２による機械的振動の振幅を拡大させるブースタ１３とからなる振動発生部と、電源スイッチ３０とを器体３に備えており、上記ブースタ１３に振動体１の一端が機械的に結合されてブースタ１３からの振動により振動体１が振動を行うようになっている。
【００１４】
今、図１に示すように振動体１に毛髪を巻き付けた状態で上記振動発生部によって振動体１を振動させたならば、前述のように毛髪にカール付けのヘアセットを行うことができる。またこのようにしてヘアセットを行った場合、前述のように熱を加えてヘアセットを行った場合に比して毛髪２は１５℃ほど低い温度しか示さず、またヘアセット前と比較した毛髪２の水分量の減少率は３０％にとどまり、熱を加えてヘアセットを行った場合の毛髪２の水分量の減少率が６０〜８０％であることを考えれば、毛髪２に熱ダメージを与えてしまうことがないことがわかる。
【００１５】
毛髪２に振動を付与するにあたっては、毛髪２と振動体１とが強い接触圧で接触していると毛髪２に加えられる振動がより強くなるために、毛髪２は振動体１に強く巻き付けることが望ましく、また振動体１の外周面はこの点に答えることができるように、摩擦係数が大きいものとしておくことが望ましい。図２（ｂ）に示すような押さえ体４で振動体１に巻き付けている毛髪２を振動体１に向けて押さえ付けるようにしてもよい。
【００１６】
振動体１に毛髪２を接触させる手法は上記巻き付けに限るものではない。図４に示すように、毛髪２に振動体１をなでつけることによってもヘアセットを行うことができる。もっとも、先端が自由な状態にある毛髪２に振動体１を当てても接触圧を強くすることができないために、図５に示すようにブラシ４０でブラッシングを行いながら振動体１を毛髪２になでつけたり、あるいは図６に示すように毛髪２の先端に重り４１を付けたクリップ４２を装着した状態で振動体１を毛髪２になでつけるとよい。テンションがかかった状態の毛髪２に振動体１を当てるために接触圧を高く保つことができる。もちろん毛髪２に手でテンションをかけながら振動体１をなでつけてもよい。
【００１７】
振動体１は棒状のものに限るものではなく平板状や曲板状のものであっても上述の毛髪２になでつける場合には適用することができる。また振動体１を平板状とする場合には、図７に示すように器体３の一面に振動体１を配するとともに器体３に枢着した平板状の押さえ体４を器体３の上記一面に対向させたものとするとよい。図８に示すように、振動体１と押さえ体４との間に毛髪２を挟み込むことで振動体１に毛髪２を接触させることができるようにするわけである。
【００１８】
この場合、毛髪２の特定箇所を挟んでその箇所についてのヘアセットを行うほか、図８に矢印で示すように毛髪２に添って移動させるようにしてヘアセットを行うことができ、後者のような使用方法をとる場合、器体３における振動体１の周囲や押さえ体４に多数の小突起３１，４３設けておくと、髪を梳って整えることができるために図９に示すようなストレートヘアへのヘアセットがさらに容易となる。
【００１９】
また毛髪２に添ってヘアセット装置を動かすにあたり、毛髪２の振動体１と押さえ体４とで挟んだ部分が毛髪２の根元側と異なる角度をなすような状態で動かすならば、毛髪２に加えられた振動は毛髪２の振動体１に接触している部分から他の部分へと少しは伝搬されるために、図１０及び図１１に示すように毛髪２の根元側に曲げを与えたヘアセットを行うことができる。
【００２０】
振動体１の形状としては図１２に示すように、毛髪２を巻き付けることができる複数本の突起部１５を表面から突出させたようなものであってもよく、この場合、毛髪２に対してカール付けした部分とストレートな部分とを設けるヘアセットを行うことができる。突起部１５が毛髪を巻き付けることができないものであってもよい。多数の突起部１５を振動体１の表面に突出させておけば、毛髪２と接触して毛髪２に振動を与える部分を多くすることができるためにヘアセットをより速く行うことができる。
【００２１】
ところで上記振動発生部によって振動体１に振動を加えるにあたっては、振動体１そのものが振動を減衰させてしまうものであると振動を毛髪２に有効に与えることができないために、振動体１は金属あるいは硬い高分子材料で形成しておく。特にポリイミド樹脂、フッ素樹脂、ＰＰＳ（ポリフェニレンサルファイド）樹脂等が金属に比して振動体１の製造の点において利点を有する。
【００２２】
また振動を行う部分であるトランスデューサー１２とブースタ１３と振動体１は、図１３及び図１４に示すように、振動の節となる部分にフランジ１６を設けて、このフランジ１６部分で器体３に取り付けておく。振動の無用な減衰を避けることができると同時に、グリップを兼ねた器体３が振動してしまうのを防ぐことができる。
【００２３】
この時、フランジ１６から片持ちの振動体１の先端までの長さＬは、波長をλ（λ＝Ｍ／ｆ  ｆ：振動数，Ｍ：振動体内の音速）とする時、図１４に示すようにＬ＝３／４・λとすると、振動体１の先端が大きく振動することになる。振動体１の先端は毛髪２を巻き付ける際に指が接触したりすることが多い部分であり、ここに大きな振動が生じるということは指に火傷させてしまう虞れがあることから、図１５あるいは図１６に示すように、振動体１の先端に上記振動の節がくるように、波長λと上記長さＬとの関係を設定することが好ましい。
【００２４】
更に図１４及び図１５に示すＬ＝３／４・λあるいはＬ＝λとすると、振動体１の途中に振動が殆ど生じない節ができることになり、この部分に毛髪２を接触させても毛髪２に振動を効果的に与えることはできない。従って図１６に示すように、Ｌ＝λ／２としておくことが最も好ましい。毛髪２を一番巻き付けやすい振動体１の中間部の振幅が最大となる上に、振動体１の先端には振動が殆ど生じないからである。
【００２５】
ヘアセットに好ましい振動周波数域と、毛髪２の巻き付け等に適した上記長さＬとが上記Ｌ＝λ／２の関係を満たさない場合、振動周波数ｆを適宜変化させるとよい。たとえば図１７に示すように、Ｌ＝λ／２とＬ＝λとの状態が周期的に生じるように振動周波数ｆを切り替えたり、Ｌ＝２λとＬ＝λとの状態が周期的に生じるように振動周波数ｆを切り替えるのである。なお、組み合わせは上記のものに限るものではない。このように振動周波数ｆを切り替えれば、振動の節が振動体１の途中の一定箇所に生じてその部分に接触させた毛髪２に十分な振動を加えることができない事態が生じるのを避けることができるとともに、振動体１のほぼ全域についてほぼ均一な振動を与えることが可能である。
【００２６】
振動体１における振動方向に関しては限定するものではないが、振動体１の軸方向よりも振動体１の毛髪２が接触する面に直交する方向に振動するようにしておくことが少ないエネルギーで有効にヘアセットすることが可能となる。この点からすれば、毛髪２を巻き付けることができるようにする振動体１に関しては、図１８に示す径方向振動を発生するリング振動子と称されるトランスデューサー１２を用いるとよく、この場合、トランスデューサー１２そのものを毛髪２を接触させる振動体１として使用することができる。しかもトランスデューサー１２（振動体１）は筒状で中空であるために、超音波振動時に発生する熱を効果的に逃がすことができる。もちろん、振動方向に関しては棒状の振動体１や平板状の振動体１についてもその表面と直交する方向の振動を行うものであることが好ましい。また付与される振動についての共振体としておくとよい。
【００２７】
ところで、前述のように超音波領域での振動を行う振動体１に皮膚が直接接触することは好ましいことではなく、時には火傷を生じさせる可能性を有している。この点については、振動を減衰させる振動減衰部材６を振動体１の皮膚と接触するおそれのある部分に設けておくことで対処することができる。もっとも振動減衰部材６が振動体１への毛髪２の接触を妨げることがないようにしておかなくてはならないことから、振動体１が棒状のものである場合には、図１９及び図２０に示すように、振動体１の外周面から鍔状の振動減衰部材６を振動体１の軸方向において所要の間隔で突出させておいたり、振動体１の先端面をキャップ状の振動減衰部材６で被覆しておけばよい。鍔状の振動減衰部材６は毛髪２を振動体１に巻き付けることの妨げにはならないが、振動体１が頭皮に接触してしまうことを確実に防ぐ。またキャップ状の振動減衰部材６は振動体１の先端面に指や肌が触れてしまうことを防ぐ。振動減衰部材６には内部損失の大きいもの、たとえば軟質の合成樹脂やゴム系材を好適に用いることができる。振動体１の外周に配する振動減衰部材６にはブラシ形状のものも用いることができる。
【００２８】
図２１は振動発生時に生じた熱が振動体１を熱くしてしまうことがないようにするために、振動体１を中空のものとして内部に空気通路１７を形成するとともに、振動体１の周面及び先端面に放熱孔１８を形成したものを示している。図２２に示すように器体３側から空気通路１７に向けて送風を行って強制空冷することも好ましい。図２３に示すように、ペルチェ素子である冷却用半導体素子１９を振動体１の内部に配してもよい。
【００２９】
上記振動減衰部材６を振動体１の外周面に設けた場合の振動体１と毛髪２との接触面積の減少は、図２４に示すように、振動体１の毛髪２との接触面を凹凸面とすることによって補うことができる。もちろん、振動減衰部材６を設けないものにおいては、凹凸面とすることによって毛髪２との接触面積を増大させることができる。図２５に示すように、振動伝達媒体２０を振動体１の表面に配するならば、多くの毛髪に効果的に振動を与えることができる。なお、振動伝達媒体２０としてはジェル状のものを好適に用いることができる。
【００３０】
振動伝達媒体４２には水のような液体も用いることができるが、この場合には図２６に示すように振動伝達媒体２０を保持することができる保持部材２１、たとえばフェルトやスポンジ等を振動体１の表面に配しておけばよい。振動体１を多孔質金属で形成するならば、振動体１そのもので振動伝達媒体２０を保持させることができる。
【００３１】
振動体１の外周面から振動減衰部材６を突出させたものにおいて押さえ体４を設ける場合には、図２７及び図２８に示すように、振動減衰部材６間に嵌まり込む押さえ片４４を押さえ体４に設けておくことによって、毛髪２を振動体１に押し付けることができる。図中４５は押さえ体４の回動軸、４６は押さえ体４を付勢しているばねである。ここにおける押さえ片４４は振動減衰部材６と同様に内部損失が大きい材質で形成しておくとよい。
【００３２】
図２９に示すものは、振動体１及び押さえ体４を振動体１の軸回り方向において器体３に対して所定の角度内の回転が自在となるようにするとともに、一対のばね４７，４７によって振動体１を回転方向両側から付勢したものである。振動体１に毛髪２を巻き付けて押さえ体４で押さえた状態でヘアカーラー装置を毛髪２に添って移動させれば、器体３に対して振動体１及び押さえ体４がばね４７に抗して回転し、この結果、毛髪２にはばね４７を圧縮させた分の引っ張り力が作用する。このために毛髪２と振動体１との接触圧を適切に高めることができて、毛髪に作用させる超音波振動をヘアセットに適した強さとすることができる。
【００３３】
もっとも、ばね４７の圧縮代を越える力となった場合には、毛髪２と振動体１との接触圧が高くなり過ぎるために、器体３の先端部に図３０に示すようなクラッチ機構５０を設けて、上記力が強くなり過ぎた時には振動体１及び押さえ体４が器体３に対して自由に回転して過剰な引っ張り力が作用してしまうことがないようにしておくとよい。図示例におけるクラッチ機構５０は、互いに接する方向にばね（図示せず）によって付勢された対向面の一方に凸部５１を、他方に凸部５１が嵌まり込む凹部５２を設けて、両者の係合で常時は回転を阻止しているものの、上記力が強くなれば凹部５２から凸部５１が抜け出て回転するものとして形成してあるが、この形態のものに限るものではない。またクラッチ機構５０を設けることは押さえ体４がないものにおいても有効である。
【００３４】
棒状（筒状）の振動体１の断面形状は円形に限るものではない。たとえば図３１に示す楕円形状やおむすび型、つまり複数の異なる曲率の線をつないだものとして形成してもよい。曲率半径が小さい部分に接触する毛髪は小さなカールとなり、曲率半径が大きい部分に接触する毛髪は大きなカールができることになるために、振動体１への毛髪２の当て方によって大きさの異なるカール付けの選択を行うことができることになる。
【００３５】
図３２に示すように、振動体１の外周面のほぼ半周を覆うようなカバー３５を振動体１の外周面から所定の間隔をおいた位置（図示例では振動減衰部材６の外周位置）に配しても、図３３に示すように、振動体１の外周面の曲率半径とは異なった半径のカール付けを行うことができる。そしてカバー３５の周方向の長さあるいは半径を変えれば、カバー３５を用いた場合のカール付け半径を変更することができる。カバー３５は振動を減衰させる材質のもので形成しているのはもちろんである。
【００３６】
図３４に示すものは、振動体１の毛髪２との接触面である外周面に、振動伝達性を有しているブラシ型の突起３６を設けたものを示している。毛髪２を振動体１に接触させる時、突起３６が毛髪２に絡み付くために、この状態で毛髪を梳くようにした時、毛髪２にテンションをかけることができる。
振動体１の全周に上記の振動伝達性を有する突起３６を設けるのではなく、図３５に示すように、振動体１の周方向において、上記突起３６を設けたエリアと、振動減衰性を有する突起３７を設けたエリアとを設けるようにしてもよい。
【００３７】
また振動体１から直接突起３６を突出させるのではなく、図３６に示すように、振動伝達性を有するブラシ型突起３６を備えた筒体３８を振動体１に着脱自在に被せるようにしてもよい。筒体３８を振動伝達部材で形成しているのはもちろんである。図３７に示すように、振動体１と筒体３８との間に振動伝達媒体３９を介在させることで振動体１から筒体３８への振動伝達を確実に行えるようにしてもよい。
【００３８】
次に、超音波領域の振動発生の制御系について説明する。図３８及び図３９に示すものは、振動体１の温度あるいは毛髪２の温度を検出することができるセンサ７０を振動体１の外面もしくは押さえ体４もしくは振動体１の内部の少なくとも一か所に配して、検出される振動体１乃至毛髪２の温度が所定温度以上となれば、スイッチ７１を切って振動発生を停止するようにしたものである。振動体１の過昇温による毛髪２への熱ダメージを防ぐことができる。また上記スイッチ７１は、連続振動発生時間を制限するタイマ７２がタイムアップしてもオフとなるようにしておくことで、やはり振動体１の過昇温による毛髪２への熱ダメージや、過度の超音波振動付与を防ぐことができる。上記センサ７０は、毛髪２と接触する部分に配置する場合には毛髪２の水分量を検出するものであってもよい。振動体１の過昇温は毛髪２の水分量の急速な低下を引き起こすために、水分量の監視によってもやはり毛髪２への熱ダメージを防ぐことができる。
【００３９】
タイマ７２を設ける場合、１回目の処理で十分なセット効果が得られずに再度セット処理を行う場合を想定して、再処理時の連続振動発生時間を初回処理時よりも短くするために、図４０に示すように限時時間が異なる二種のタイマ７２ａ，７２ｂを設けて切り換えられるようにしておくことも好ましい。
また超音波振動の発生は図４１に示すように短時間の振動発生を休止時間をおいて所定回数行うというようにすることも好ましい。このようにした場合にも振動体１の過昇温とこれに伴う毛髪２への熱ダメージを防ぐことができるとともに超音波振動の過剰付与を防ぐことができる。特に超音波振動の間欠発生は、連続発生の場合に比して同じヘアセット効果を得られる超音波振動付与を行っても毛髪の温度上昇を低く抑えることができることを確認している。なお、振動発生の最終停止は上記回数ではなく、振動発生時間の通算時間で制御してもよい。
【００４０】
温度を検出するセンサ７０を用いた場合の振動発生制御は、図４２に示すように、上限温度と下限温度との範囲内に検出温度が収まるようにしてもよい。この場合も超音波振動の間欠発生とすることができる。また、振動発生回数または振動発生時間の通算時間で停止させることによって、超音波振動の過剰付与を防ぐことができる。
【００４１】
なお、振動発生の開始は、押さえ体４を有するものにおいては押さえ体４が閉じられたことを検出するスイッチ（図示せず）を設けてこのスイッチを電源スイッチ３０と直列に接続しておき、押さえ体４が閉じられていない時には振動が発生しないようにしておくとよい。
【００４２】
【発明の効果】
以上のように本発明におけるヘアセット装置は、超音波振動発生手段とこの超音波振動発生手段によって超音波領域での振動を行う振動体とを備え、振動体は毛髪の接触により毛髪に超音波振動を付加して毛髪に癖付けを行う接触面を備えていることから、毛髪に超音波領域の振動を与えることによるヘアセットを簡単に行うことができるものであり、そして超音波領域で振動する振動体に毛髪を接触させて毛髪の曲げや伸ばし等のヘアセットを行うことから、毛髪に熱を加えてヘアセットを行う場合に比して、毛髪に殆ど熱によるダメージを与えることなくヘアセットを行うことができる上に、ヘアセットに要する時間も熱の立ち上がりに要する時間がなくなることもあって短時間ですむものである。しかも振動体はその接触面の一部から超音波振動を減衰させる振動減衰部材を突出させているために、振動体が指や皮膚に直接触れることを防ぐことができて、振動体が皮膚や指に接触した場合の火傷の発生の虞れを少なくすることができる。
【００４４】
そして上記振動体に毛髪の巻き付け面である外周面が毛髪との接触面となっているものを用いたならば、毛髪を巻き付けてカール付けをするものを得ることができ、振動体の外周面の接触面に毛髪を押さえ付ける押さえ体を備えたものとすれば、振動体と毛髪との接触圧を高めて確実なカール付けを行うことができるものとすることができ、一面が接触面となっている平板状であって該接触面に毛髪を押さえ付ける押さえ体を備えているものとすれば、ストレートヘアへのセットに適したものとすることができる。また上記押さえ体に振動体を備えた本体部に枢着されたものを用いたならば、使い勝手に優れた押さえ体を備えたものとすることができる。
【００４５】
振動体は毛髪が接触する接触面と直交する方向に振動を行うものにしておくと、毛髪に対する超音波振動の作用を効果的に得ることができるために、ヘアセットに要する時間の短縮や確実なヘアセットを行えるものとすることができ、この時の超音波振動発生手段としてリング状振動子を用いると、リング状振動子を毛髪を接触させる振動体として用いることができるために部品数の削減も図ることができる。
【００４７】
しかも振動体はその接触面の一部から超音波振動を減衰させる振動減衰部材を突出させているために、振動体が指や皮膚に直接触れることを防ぐことができて、振動体が皮膚や指に接触した場合の火傷の発生の虞れを少なくすることができる。
このほか、振動体の毛髪との接触面を凹凸面としたり、接触面に振動伝達媒体を配したりしておくと、毛髪と振動体との接触面積を増大させることができて、毛髪への振動付与を確実に行うことができる。振動伝達媒体を用いる場合には振動体に振動伝達媒体を保持する保持部材を設けたり、振動体を多孔質金属で形成して振動体自体が保持部材となるようにすると、振動伝達媒体についての取り扱いが容易となり、特に後者の場合には保持部材を別部品として用いる必要がなくなる。
【００４８】
振動体を回転自在とするとともに該回転に対して負荷抵抗を加えておくことも毛髪に適切なテンションをかけた状態で振動を与えるという点において良好な結果を得ることができ、負荷抵抗を越える力に対して振動体の回転を自由とするクラッチ機構を設けておくならば、強すぎるテンションが毛髪に加わってしまうことによる問題を招くこともない。
【００４９】
振動体の毛髪との接触面の断面形状を複数の曲率の合成曲線としておくならば、振動体が単一であっても毛髪を接触させる位置によって大きさの異なるカール付けを行うことができる。振動体の一部を覆って振動体の毛髪との接触面に接する毛髪の接触角度を規制するカバーを設けても、振動体そのものが有している曲率とは異なる曲率のカール付けを行うことができるものとなる。
【００５０】
振動体の毛髪との接触面に振動伝達性を有するブラシ型の突起を設けたりしてもよく、この場合、ブラシ型の突起は毛髪にテンションを与える部材と毛髪に振動を伝える部材とを兼ねることになるために、確実に且つ迅速にヘアセットを行うことができるものとなる。また振動伝達性を有するブラシ型突起は振動体の毛髪との接触面の所定エリアに設け、他のエリアには振動減衰性のブラシ型突起を設けた時には、ヘアセットに際して特徴のあるカール付けを行うことができるものとなる。
【００５１】
上記のブラシ型の突起は振動体に着脱自在とされた部材の表面に設けるようにしてもよく、この場合振動体に直接毛髪を接触させる場合と、ブラシ型の突起を用いた場合とで異なるヘアセットを行うことができるものとなる。そして振動体に着脱自在とされた部材と振動体との間には振動伝達媒体を配すると、着脱自在なブラシ型突起への振動体からの振動伝達を確実なものとすることができる。
【００５２】
振動発生の制御については、振動体の温度乃至振動体の接触面に接触する毛髪の温度を検出するセンサと、センサの検出結果に応じて振動発生を制御する制御手段とを備えたものとすると、振動体の過昇温や毛髪の熱ダメージを確実に防ぐことができる。振動体の接触面に接触する毛髪の水分量を検出するセンサと、センサの検出結果に応じて振動発生を制御する制御手段とを備えたものとした時には、毛髪の過乾燥を防ぐことができる。この時のセンサは振動体の表面、あるいは振動体の毛髪との接触面に毛髪を押し付ける押さえ体、あるいは振動体の内部とすることで、適切な検出を行うことができる。
【００５３】
振動の連続発生時間を制限するタイマを備えたものとしても、やはり振動体の過昇温や毛髪の熱ダメージを防ぐことができる。限時時間が異なる複数種のタイマとこれらタイマを切り換えていく切換手段とを備えたものとしておくと、１回ではヘアセットが不十分であった場合の再度の超音波振動付与に際しての毛髪の損傷を適切に防ぐことができる。
【００５４】
振動を間欠的に発生させる制御手段を備えたものとした時には、毛髪に与える熱的影響を更に低減しつつヘアセットを行うことができるものとなる。
上記センサを用いた制御に際しても、センサによる検出値と上限値との比較で振動発生を休止させ、検出値と下限値との比較で振動発生を再開させるものとすることで、毛髪に与える熱的影響を更に低減しつつヘアセットを行うことができる。そしてこれらの場合の制御手段は振動発生動作の回数または振動発生動作の通算時間で振動発生を終わらせるものとしておくことで、超音波振動の過剰な付与という事態を招くことがないものとすることができる。
【図面の簡単な説明】
【図１】本発明方法を示すもので、（ａ）は毛髪と振動体との接触の一例を示す正面図、（ｂ）はヘアセットされた毛髪の斜視図である。
【図２】本発明装置の実施の形態例を示すもので、（ａ）は一例の斜視図、（ｂ）は他例の斜視図である。
【図３】同上の概略構成を示す説明図である。
【図４】毛髪と振動体との接触の他例を示す説明図である。
【図５】毛髪と振動体との接触の更に他例を示す説明図である。
【図６】毛髪と振動体との接触の別の例を示す説明図である。
【図７】他の実施形態例を示すもので、（ａ）（ｂ）は共に斜視図である。
【図８】同上の使用状態を示す説明図である。
【図９】同上のヘアセットされた毛髪の説明図である。
【図１０】同上の他の使用状態を示す説明図である。
【図１１】同上のヘアセットされた毛髪の説明図である。
【図１２】別の実施形態例を示す斜視図である。
【図１３】器体による振動発生部の保持位置の説明のための概略図である。
【図１４】同上の振動体の振動についての説明図である。
【図１５】同上の振動体の他の振動についての説明図である。
【図１６】同上の振動体の更に他の振動についての説明図である。
【図１７】同上の振動体の別の振動についての説明図である。
【図１８】異なる振動体の概略斜視図である。
【図１９】他の実施の形態の一例の斜視図である。
【図２０】同上の部分断面図である。
【図２１】同上の他例の断面図である。
【図２２】同上の更に他例の部分断面図である。
【図２３】同上の異なる例の断面図である。
【図２４】同上の別の例の部分断面図である。
【図２５】同上の更に別の例の部分断面図である。
【図２６】同上の別の例の部分断面図である。
【図２７】同上の押さえ体を設けた場合の斜視図である。
【図２８】同上の部分断面図である。
【図２９】同上の他例の部分斜視図である。
【図３０】同上のクラッチ機構の分解斜視図である。
【図３１】振動体の断面形状例を示すもので、（ａ）（ｂ）は共に横断面図である。
【図３２】振動体の他の例を示す斜視図である。
【図３３】同上の横断面図である。
【図３４】振動体の別の例の縦断面図である。
【図３５】同上の更に別の例の横断面図である。
【図３６】振動体の他例の分解斜視図である。
【図３７】同上の更に他例の分解斜視図である。
【図３８】動作制御に関する構成を示す概略図である。
【図３９】制御部のブロック回路図である。
【図４０】制御部の他例のブロック回路図である。
【図４１】制御部の動作説明のためのタイムチャートである。
【図４２】制御部の他の動作説明のためのタイムチャートである。
【符号の説明】
１  振動体
２  毛髪
【図１】
0003633089.tif 000002
【図２】
0003633089.tif 000003
【図３】
0003633089.tif 000004
【図４】
0003633089.tif 000005
【図５】
0003633089.tif 000006
【図６】
0003633089.tif 000007
【図７】
0003633089.tif 000008
【図８】
0003633089.tif 000009
【図９】
0003633089.tif 000010
【図１０】
0003633089.tif 000011
【図１１】
0003633089.tif 000012
【図１２】
0003633089.tif 000013
【図１３】
0003633089.tif 000014
【図１４】
0003633089.tif 000015
【図１５】
0003633089.tif 000016
【図１６】
0003633089.tif 000017
【図１７】
0003633089.tif 000018
【図１８】
0003633089.tif 000019
【図１９】
0003633089.tif 000020
【図２０】
0003633089.tif 000021
【図２１】
0003633089.tif 000022
【図２２】
0003633089.tif 000023
【図２３】
0003633089.tif 000024
【図２４】
0003633089.tif 000025
【図２５】
0003633089.tif 000026
【図２６】
0003633089.tif 000027
【図２７】
0003633089.tif 000028
【図２８】
0003633089.tif 000029
【図２９】
0003633089.tif 000030
【図３０】
0003633089.tif 000031
【図３１】
0003633089.tif 000032
【図３２】
0003633089.tif 000033
【図３３】
0003633089.tif 000034
【図３４】
0003633089.tif 000035
【図３５】
0003633089.tif 000036
【図３６】
0003633089.tif 000037
【図３７】
0003633089.tif 000038
【図３８】
0003633089.tif 000039
【図３９】
0003633089.tif 000040
【図４０】
0003633089.tif 000041
【図４１】
0003633089.tif 000042
【図４２】
0003633089.tif 000043